(57)【特許請求の範囲】
【請求項１】
壁面に固着した壁付ブラケットに対して回動子を回動自在に具え、この回動子における受け部に手すり棒を固着することにより、手すり棒を張り出した状態の定常姿勢と、ここからほぼ９０°回動させた折り畳み姿勢との範囲で回動自在に構成した手すり取付具において、前記回動子は、壁付ブラケットに一体的に接続された軸体を中心に回動するとともにその軸方向に一定ストローク摺動可能に構成されるものであり、且つ前記軸体に形成した案内溝に、回動子に具えたストッパを受け入れることにより、回動子の摺動及び回動を規制するものであり、前記回動子に対して、軸体の軸方向のうち一方の方向に力が加わったときには前記ストッパが機能し、他の一方の軸方向に力が加わったときには前記ストッパが案内溝から退去して、回動子の摺動及び回動の規制が解除されるように構成したことを特徴とする手すり取付具。
【請求項２】
前記案内溝は、回動子に対して一方の軸方向に力が加わったときにストッパと接触する側の壁面を移動阻止面としてストッパを機能させ、また回動子に対して他の一方の軸方向に力が加わったときにストッパと接触する側の壁面を可動案内面とするものであり、ストッパがこの可動案内面に沿って案内溝から退去して軸体の側周面に当接した状態とすることにより、回動子の摺動及び回動の規制を解除するものであることを特徴とする請求項１記載の手すり取付具。
【請求項３】
前記案内溝内には折畳係止部を形成し、この折畳係止部内にストッパが位置することにより、折り畳み姿勢を維持するようにしたことを特徴とする請求項２記載の手すり取付具。
【請求項４】
前記軸体の軸方向に力が加わったときにストッパが機能する方向及び前記軸体の軸方向に力が加わったときにストッパが案内溝から退去して回動子の軸方向への摺動及び回動の規制が解除される方向を異ならせた前記請求項１、２または３記載の手すり取付具を二基一対で具え、これら手すり取付具に対して手すり棒を連架して構成したことを特徴とする手すり装置。
【発明の詳細な説明】
【０００１】
【発明の属する技術分野】
本発明は階段、廊下、トイレ等の壁面等に付設される手すりに関するものであり、特に荷物の搬入、搬出時等に手すり棒を折り畳む際の操作を容易にした手すり取付具並びにこれを用いて構成した手すり装置に係るものである。
【０００２】
【発明の背景】
従来より建物内における階段部分あるいは廊下部分等には手すり（手すり装置）が設けられるものであり、そのひとつに壁面に対して手すり取付具を一定間隔で固着するとともに、この取付具に対して手すり棒を連架したものがある。
しかしながら一般住宅等では、階段あるいは廊下の幅が狭いため、大型荷物を搬入、搬出する際等には手すりが障害物となってしまうものであり、特に老人や障害者が掴みやすくまた体重をかけられるように壁面との距離を１０ｃｍ程確保した手すりではその不都合が顕著であった。
【０００３】
そこで手すり棒が壁面付近に位置するように手すり取付具の一部を折り畳み自在に構成したものが提供されているが、このような従来の手すり取付具を用いた手すり装置では、定常の使用時には殆どの場合下方に荷重がかかり、上方へは殆ど力が加えられることがないから、専ら下方への回動を定位置で止めるだけで上方には自由に回動し得るような簡易な構成が当初は採られていた。しかしながら実際には、足元がふらついたりしたとき、ときに手すりを上方へ引き上げるような動きをとることもあり、従って定常使用位置で手すりをロックするようなものが用いられるようになってきている。しかしながらこのようないわゆるロック付きの手すりにあっては、複数の手すり取付具のうちの少なくとも一つにロック機構を設けてあるため、例えば荷物を一階から二階に運ぶときに、ロック機構を具えた手すり取付具が二階付近にある場合には、ロックを解除するためにわざわざ階段を昇り降りしなければならなかった。
【０００４】
【開発を試みた技術課題】
本発明はこのような背景を考慮してなされたものであって、手すり棒を具えた回動子のロック機構を手すり装置の両端等の複数個所に設けながらも、そのうちの一カ所で操作することにより全てのロックを解除して手すり装置を折り畳み姿勢とすることができる、新規な手すり取付具並びにこれを用いて構成した手すり装置の開発を技術課題とした。
【０００５】
【課題を解決するための手段】
すなわち請求項１記載の手すり取付具は、壁面に固着した壁付ブラケットに対して回動子を回動自在に具え、この回動子における受け部に手すり棒を固着することにより、手すり棒を張り出した状態の定常姿勢と、ここからほぼ９０°回動させた折り畳み姿勢との範囲で回動自在に構成した手すり取付具において、前記回動子は、壁付ブラケットに一体的に接続された軸体を中心に回動するとともにその軸方向に一定ストローク摺動可能に構成されるものであり、且つ前記軸体に形成した案内溝に、回動子に具えたストッパを受け入れることにより、回動子の摺動及び回動を規制するものであり、前記回動子に対して、軸体の軸方向のうち一方の方向に力が加わったときには前記ストッパが機能し、他の一方の軸方向に力が加わったときには前記ストッパが案内溝から退去して、回動子の摺動及び回動の規制が解除されるように構成したことを特徴として成るものである。
この発明によれば、回動子に対して少なくとも一方の軸方向に力が加わったときに、ストッパが案内溝から退去して回動子の摺動及び回動の規制が解除されるため、ストッパに触れることなく回動子の回動を行うことが可能となる。
【０００６】
また請求項２記載の手すり取付具は、前記要件に加え、前記案内溝は、回動子に対して一方の軸方向に力が加わったときにストッパと接触する側の壁面を移動阻止面としてストッパを機能させ、また回動子に対して他の一方の軸方向に力が加わったときにストッパと接触する側の壁面を可動案内面とするものであり、ストッパがこの可動案内面に沿って案内溝から退去して軸体の側周面に当接した状態とすることにより、回動子の摺動及び回動の規制を解除するものであることを特徴として成るものである。
この発明によれば、案内溝からのストッパの退去が円滑に行われ、ストッパに触れることなく回動子の回動を行う操作を確実に行うことができる。
【０００７】
更にまた請求項３記載の手すり取付具は、前記請求項２記載の要件に加え、前記案内溝内には折畳係止部を形成し、この折畳係止部内にストッパが位置することにより、折り畳み姿勢を維持するようにしたことを特徴として成るものである。
この発明によれば、折り畳み姿勢にある回動子が振動等によって定常姿勢に戻ってしまうのを防ぐことができる。
【０００８】
更にまた請求項４記載の手すり装置は、前記軸体の軸方向に力が加わったときにストッパが機能する方向及び前記軸体の軸方向に力が加わったときにストッパが案内溝から退去して回動子の軸方向への摺動及び回動の規制が解除される方向を異ならせた前記請求項１、２または３記載の手すり取付具を二基一対で具え、これら手すり取付具に対して手すり棒を連架して構成したことを特徴として成るものである。
この発明によれば、操作者は、手元に位置する手すり取付具のストッパを解除した状態で定常姿勢にある手すり棒を掴持して回動子を摺動させることにより、手元にない手すり取付具のストッパを案内溝から退去させ、回動子の摺動及び回動の規制を解除するとともに、手すり装置を折り畳み姿勢とすることができる。
そしてこれら各請求項記載の要件を手段として前記課題の解決が図られる。
【０００９】
【発明の実施の形態】
以下、本発明の「手すり取付具並びにこれを用いて構成した手すり装置」を図示の実施の形態に基づいて具体的に説明する。なおこの説明にあたっては、まず手すり取付具１の構成について説明した後、この手すり取付具１を用いて構成した手すり装置Ｈについて説明を行う。
【００１０】
前記手すり取付具１は図２に示すように、適宜ビスｂを用いて壁面Ｗに固着される壁付ブラケット２と、この壁付ブラケット２と一体化される軸体３と、この軸体３を中心に回動する回動子５とを具えて構成されるものであり、図１に示すように壁面Ｗに適宜の間隔で配列した手すり取付具１に手すり棒６を連架して手すり装置Ｈが形成される。
【００１１】
以下これら手すり取付具１を構成する諸部材について詳しく説明する。まず前記壁付ブラケット２について説明するとこのものは、一例として円形状に形成した固着フランジ２０の中心部分に柱状の接続片２１を具えて成るものであり、これら固着フランジ２０及び接続片２１にはそれぞれネジ孔２２及びボルト孔２３が穿設される。
【００１２】
次に前記軸体３について説明するとこのものは円柱状部材であり、側周部に前記接続片２１に対応した接続穴３１を穿設するとともに、上下面に対してこの接続穴３１に通じるねじ受入孔３２を形成する。この実施の形態では、前記接続片２１におけるボルト孔２３及び軸体３におけるねじ受入孔３２を二カ所に形成した。更に軸体３の側周部には案内溝３３を形成するものであり、側周方向に沿って定常係止部３５、通過領域３６及び折畳係止部３７を連設する。これら定常係止部３５、通過領域３６及び折畳係止部３７は、後述するストッパ５５が当接する個所であり、定常係止部３５、折畳係止部３７、通過領域３６の順に浅くなる様に深さが異なった状態に形成されるものである。
また前記定常係止部３５の軸方向に一例として４５°の角度で傾斜した可動案内面３８を形成するとともに、この可動案内面３８に対接する面は直角面として移動阻止面３９を形成する。なお図２（ａ）（ｂ）に示すように、可動案内面３８を定常係止部３５の左側に設けた軸体３Ａと、右側に設けた軸体３Ｂとが構成されるものであり、それぞれの用途については後ほど手すり装置Ｈの動作説明と併せて詳しく説明する。
【００１３】
次に前記回動子５について説明するとこのものは、外嵌めスリーブ５０の側周にアーム５１を延長形成し、このアーム５１の先端に受け部５２を具えて成るものである。
前記外嵌めスリーブ５０は前記軸体３に外嵌めされる円筒状部材であり、その側周部分に接続片２１と接するカム面５３が形成される。このカム面５３の形状は、回動子５の回動にともなって回動子５を軸方向に摺動させるものであり、回動子５が折り畳み姿勢になったときに、後述するストッパ５５が再び案内溝３３内に位置するように形成される。なおこの実施の形態では、外嵌めスリーブ５０が軸体３の軸方向に沿って双方向に移動するため、カム面５３の形態を図３（ｂ）に示すように平面視でＶ字状になるように対称形に形成した。またカム面５３の作用については後ほど手すり装置Ｈの動作説明と併せて詳しく説明する。
【００１４】
また前記アーム５１にはストッパ５５を具えるものであり、アーム５１に形成したストッパ収容部５６内に一例として側面視Ｌ字型のストッパ５５が収容され、蓋状部５７に形成したスリット５７ａからストッパ５５の操作片５５Ａが突出するようにする。なおストッパ５５は、ピン５５ａに外嵌めしたスプリングＳの作用により外嵌めスリーブ５０側に張り出すように附勢された状態とするものである。また前記ストッパ５５の長辺の先端形状は、前記軸体３の案内溝３３における定常係止部３５及び折畳係止部３７に嵌合するものとする。
【００１５】
また前記受け部５２は手すり棒６の形状に馴染んだ断面形状を有するものであり、この実施の形態ではほぼ半円筒状の形状とし、木製の手すり棒６をビスｂにより止めるものとした。なお手すり棒６として金属製のものを採用する場合には、受け部５２を天面が開放された中空円筒状のものとし、これに手すり棒６を差し込むエンドキャップ様のものとすることもできる。
【００１６】
そしてこれら壁付ブラケット２、軸体３及び回動子５を部材として手すり取付具１が組み立てられるものであり、外嵌めスリーブ５０に軸体３を挿入した状態で接続穴３１に壁付ブラケット２における接続片２１を挿入し、ボルトＢによって締結する。なおこれら手すり取付具１を構成する各部材における摺擦部に対しては、フッ素樹脂を塗布したり注油する等して摺動及び回動の円滑化を図るものとする。
そして前記軸体３Ａを具えた手すり取付具１Ａ及び軸体３Ｂを具えた手すり取付具１Ｂを手すり棒６の両端に配置するとともに、その間に中継用の手すり取付具１Ｃを配置して手すり装置Ｈが構成されるものあり、この実施の形態では図１に示すように階段の下側に手すり取付具１Ａを配置し、階段の上側に手すり取付具１Ｂを配置するようにした。
なお前記手すり取付具１Ｃは図８に示すように、前記手すり取付具１Ａ、１Ｂと基本構成を同一としたものであるが、軸体３Ｃには案内溝３３が形成されておらず、また回動子５にはストッパ５５を具えていないものである。
【００１７】
このような手すり装置Ｈにおいて手すり棒６は、前記回動子５がほぼ水平となる定常姿勢からほぼ垂直となる折り畳み姿勢の範囲で回動するものであり、以下この動作について図４、５、６を用いて説明する。なお図４は手すり装置Ｈを示す正面図、図５は手すり装置Ｈを示す平面図、図６は手すり装置Ｈを示す側面図であり、それぞれの図で（ａ）は定常姿勢を示すものであり、（ｃ）は折り畳み姿勢を示すものであり、更に（ｂ）はこれらの中間の状態を示すものである。
【００１８】
〔定常姿勢〕
まず図４（ａ）、図５（ａ）、図６（ａ）に示す定常姿勢について説明すると、この状態で回動子５は階段に対して張り出したほぼ水平状態の姿勢となるものであり、このときストッパ５５の先端は定常係止部３５に係合している。
【００１９】
〔ストッパの解除〕
このような定常姿勢から手すり棒６の回動を図るものであり、操作者は手すり棒６を掴持しながら手すり取付具１Ａのストッパ５５をスライドさせ、ストッパ５５の先端を定常係止部３５から引き出すとともに、手すり棒６を内側にスライドさせる。なおここで内側とは、手すり取付具１Ａと手すり取付具１Ｂとによって挟まれた間の方向を意味するものであり、手すり取付具１Ａ側からみると手すり取付具１Ｂのある方向を、手すり取付具１Ｂ側からみると手すり取付具１Ａのある方向を内側と呼ぶものとする。
【００２０】
そして手すり取付具１Ａと手すり取付具１Ｂとは、手すり棒６によってリンクされているため、このような操作により回動子５に対して軸体３の軸方向に力が加わるものであり、図５（ｂ）及び図６（ｂ）に示すように手すり取付具１Ｂにおいては、そのストッパ５５が可動案内面３８上を上昇してゆき、やがて案内溝３３（定常係止部３５）から退去して軸体３の側周面に当接し、回動子５の摺動及び回動の規制が解除されることとなる。
因みに手すり取付具１Ａにおけるストッパ５５の先端を定常係止部３５から引き出すとともに、手すり棒６を外側にスライドさせた場合には、手すり取付具１Ｂにおけるストッパ５５は移動阻止面３９に阻まれて案内溝３３（定常係止部３５）から退去することができないため、回動子５の摺動は行われない。
【００２１】
〔折り畳み姿勢〕
次いで手すり棒６を前記回動子５が階段に対してほぼ垂直となる状態までほぼ９０°回動させるものであり、このとき図７に示すように壁付ブラケット２における接続片２１が外嵌めスリーブ５０に形成したカム面５３と当接するため、回動子５は回動にともなって軸方向に摺動させられる。やがて軸体３の側周面に当接していたストッパ５５は再び案内溝３３内に進入し、図６（ｃ）に示すように折畳係止部３７に係止して図４（ｃ）及び図５（ｃ）に示すような折り畳み姿勢を維持するものである。
【００２２】
その後、手すり装置Ｈを再び定常姿勢にするためには、手すり棒６に壁面Ｗから離れる方向に軽く力を加えると、折畳係止部３７は定常係止部３５よりも浅く且つわずかに案内テーパ３７ｔが形成されているため、ストッパ５５が容易に折畳係止部３７から通過領域３６上に移動して回動子３の回動が可能となる。そして回動子５が定常姿勢となるように回動させるものであり、このときストッパ５５は通過領域３６上を移動し、やがて定常係止部３５に係止した時点で定常姿勢に戻るものである。すなわち回動子５は軸方向に摺動することなく定常姿勢に戻ることとなる。
【００２３】
なお以上の説明では、手すり装置Ｈにおける手すり取付具１Ａの側において操作した場合について説明したが、手すり取付具１Ａにおける軸体３Ａに形成した案内溝３３と、手すり取付具１Ｂにおける軸体３Ｂに形成した案内溝３３とは左右対称であるため、手すり取付具１Ｂの側において操作した場合にも、手すり装置Ｈは同様に動作するものである。
このため二階から一階に荷物を下ろすような場合であっても、二階側に設けた手すり取付具１Ｂを操作して手すり装置Ｈを折り畳み姿勢とすることができる。
【００２４】
なお図９に示すように、階段の上側に手すり取付具１Ａを配置し、階段の下側に手すり取付具１Ｂを配置するようにしてもよく、この場合には、操作者は手すり棒６を掴持しながら手すり取付具１Ａまたは手すり取付具１Ｂのストッパ５５をスライドさせ、ストッパ５５の先端を定常係止部３５から引き出すとともに、手すり棒６を外側にスライドさせることにより、回動子５の摺動及び回動の規制を解除することができる。
【００２５】
【他の実施の形態】
本発明は上述した実施の形態を基本となる実施の形態とするものであるが、本発明の技術的思想に基づいて以下に示す実施の形態を採ることができる。
まず上述した基本となる実施の形態では、折り畳み姿勢にある手すり装置Ｈを再び定常姿勢にするためには、手すり棒６に壁面Ｗから離れる方向に軽く力を加えればストッパ５５が容易に折畳係止部３７から通過領域３６上に移動するように、折畳係止部３７を定常係止部３５よりも浅く形成したが、折り畳み姿勢を強固に維持するような構成とすることができる。具体的には図１０（ａ）（ｂ）に示すように、折畳係止部３７を定常係止部３５と同等の深さに形成するものであり、更に折畳係止部３７に可動案内面３８ａを連接するものである。
そしてこのような構成を採った場合には、上述の基本となる実施の形態において〔ストッパの解除〕で説明した操作と同じように、ストッパ５５をスライドさせ、ストッパ５５の先端を折畳係止部３７から引き出すとともに、手すり棒６を内側にスライドさせることにより、回動子５の回動が可能となる。
【００２６】
また上述した基本となる実施の形態では、軸体３として可動案内面３８の形成個所を異ならせた二種類の軸体３Ａ、３Ｂを用いたが、図１０（ｃ）（ｄ）に示すように、軸体３の側周部に形成する案内溝３３を、側周方向に沿って折畳係止部３７ａ、通過領域３６ａ、定常係止部３５、通過領域３６ｂ及び折畳係止部３７ｂを連設することにより、一つの軸体３を実質的に二種類の軸体３Ａ、３Ｂとして機能させることができるものである。
すなわちこのような形態を採った場合には、壁付ブラケット２における接続片２１に対する軸体３の取付け方向を異ならせることにより、実質的に可動案内面３８の形成個所を異ならせた二種類の手すり取付具１Ａ、１Ｂを形成することが可能となるものである。このため、部品点数が削減できるものであり、特に軸体３を鋳造により製造する場合には金型代を削減し、大幅なコストダウンを図ることができる。
【００２７】
更にまた図１１に示すように、壁付ブラケット２、接続片２１及び軸体３を一体成形した一部材として構成することができる。この場合には、蓋状部５７を含めた回動子５を、少なくとも外嵌めスリーブ５０の部分が分断された一対の分断片５Ａ、分断片５Ｂによって構成することにより、これら分断片５Ａ、分断片５Ｂを一体化する際に外嵌めスリーブ５０内に軸体３を収容した状態とすることができる。なお図１１（ａ）に示す回動子５は、左右一対の分断片５Ａ、分断片５Ｂによって構成されるものであり、図１１（ｂ）に示す回動子５は、上下一対の分断片５Ａ、分断片５Ｂによって構成されるものである。更に外嵌めスリーブ５０の部分のみを分断された二片によって構成することも可能である。
【００２８】
また上述のように回動子５を一対の分断片５Ａ、分断片５Ｂによって構成するようにした場合には、外嵌めスリーブ５０における軸体３の端面に対向する部分に被覆部５０ａを設けることが可能となるものであり、手すり取付具１の美観を向上することができる。
更にまた前記被覆部５０ａを設けた場合には、軸体３と外嵌めスリーブ５０との間にフッ素系樹脂等を素材として成るブッシュ７を介在させるとともに、このブッシュ７の抜け出しを防止することが可能となるものであり、両者の摺動及び回動の円滑化を図ることができる。
【００２９】
更にまた上述した基本となる実施の形態では、軸体３を壁付ブラケット２と一体的に具え、一方、外嵌めスリーブ５０を回動子５を構成する部材として具えるように構成したが、この逆に軸体３を回動子５を構成する部材とし、更に外嵌めスリーブ５０を壁付ブラケット２と一体的に具えるようにした構成を採ることもできる。
【００３０】
【発明の効果】
本発明によれば、手すり棒６を具えた回動子５のロック機構を、手すり装置Ｈの両端いずれからでも解除して手すり装置Ｈを折り畳み姿勢とすることができ、手すり装置Ｈの利便性を高めることができる。
【図面の簡単な説明】
【図１】本発明の手すり装置を階段部分の壁面に設置した状態を示す斜視図である。
【図２】本発明の手すり取付具を示す分解斜視図である。
【図３】同上三面図である。
【図４】手すり装置が定常姿勢から折り畳み姿勢に移行する様子を段階的に示す正面図である。
【図５】手すり装置が定常姿勢から折り畳み姿勢に移行する様子を段階的に示す平面図である。
【図６】手すり装置が定常姿勢から折り畳み姿勢に移行する様子を段階的に示す側面図である。
【図７】回動子が軸体の軸方向に摺動する際にカム面によって案内される様子を段階的に示す説明図である。
【図８】中継用の手すり取付具を示す斜視図である。
【図９】手すり取付具の配置を異ならせた実施の形態を示す平面図ある。
【図１０】軸体に対して形成する案内溝の他の実施の形態を示す斜視図である。
【図１１】回動子を分断して構成した実施の形態を示す平面図及び側面図である。
【符号の説明】
Ｈ      手すり装置
１      手すり取付具
１Ａ    手すり取付具
１Ｂ    手すり取付具
１Ｃ    手すり取付具
２      壁付ブラケット
２０    固着フランジ
２１    接続片
２２    ネジ孔
２３    ボルト孔
３      軸体
３Ａ    軸体
３Ｂ    軸体
３Ｃ    軸体
３１    接続穴
３２    ねじ受入孔
３３    案内溝
３５    定常係止部
３６    通過領域
３６ａ  通過領域
３６ｂ  通過領域
３７    折畳係止部
３７ａ  折畳係止部
３７ｂ  折畳係止部
３７ｔ  案内テーパ
３８    可動案内面
３８ａ  可動案内面
３９    移動阻止面
５      回動子
５Ａ    分断片
５Ｂ    分断片
５０    外嵌めスリーブ
５０ａ  被覆部
５１    アーム
５２    受け部
５３    カム面
５５    ストッパ
５５Ａ  操作片
５５ａ  ピン
Ｓ      スプリング
５６    ストッパ収容部
５７    蓋状部
５７ａ  スリット
６      手すり棒
７      ブッシュ
Ｗ      壁面
Ｂ      ボルト
ｂ      ビス
【図１】
0003648634.tif 000002
【図２】
0003648634.tif 000003
【図３】
0003648634.tif 000004
【図４】
0003648634.tif 000005
【図５】
0003648634.tif 000006
【図６】
0003648634.tif 000007
【図７】
0003648634.tif 000008
【図８】
0003648634.tif 000009
【図９】
0003648634.tif 000010
【図１０】
0003648634.tif 000011
【図１１】
0003648634.tif 000012